【手続補正書】
【提出日】平成17年1月11日(2005.1.11)
【手続補正１】
【補正対象書類名】明細書
【補正対象項目名】特許請求の範囲
【補正方法】変更
【補正の内容】
【特許請求の範囲】
【請求項１】
導電性材料から構成され、回転駆動される第１の転接部材と、
この第１の転接部材に対して加圧状態で転接され、これらの転接部間に現像剤像が形成された被定着材を介在して通過させる第２の転接部材と、
上記第１の転接部材側に配置され、第１の転接部材の上記転接部を集中して誘導加熱し、上記被定着材の現像剤像を定着像に換える誘導加熱手段を備えた定着装置において、
上記誘導加熱手段に投入する電力量を、定着立ち上げ時と、定着稼働時とで変化するよう制御する制御手段を備えたことを特徴とする定着装置。
【請求項２】
導電性材料から構成され、回転駆動される第１の転接部材と、
この第１の転接部材に対して加圧状態で転接され、これらの転接部間に現像剤像が形成された被定着材を介在して通過させる第２の転接部材と、
上記第１の転接部材側に配置され、第１の転接部材の上記転接部を集中して誘導加熱し、上記被定着材の現像剤像を定着像に換える誘導加熱手段を備えた定着装置において、
上記誘導加熱手段に投入する電力量の最大値を、定着立ち上げ時と、定着動作時とで、それぞれ所定値に切換え制御する制御手段を備えたことを特徴とする定着装置。
【請求項３】
導電性材料から構成され、回転駆動される第１の転接部材と、
この第１の転接部材に対して加圧状態で転接され、これらの転接部間に現像剤像が形成された被定着材を介在して通過させる第２の転接部材と、
上記第１の転接部材側に配置され、第１の転接部材の上記転接部を集中して誘導加熱し、上記被定着材の現像剤像を定着像に換える誘導加熱手段を備えた定着装置において、
上記転写部に進入してくる被定着材の種類を検知する手段と、
この検知手段からの検知信号を受け、被定着材の種類に応じて上記誘導加熱手段に投入する電力量の最大値を切換え制御する制御手段とを備えたことを特徴とする定着装置。
【手続補正２】
【補正対象書類名】明細書
【補正対象項目名】００１４
【補正方法】削除
【補正の内容】
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】変更
【補正の内容】
【００２１】
【課題を解決する手段】
上記目的を満足するため本発明は、回転駆動される第１転接部材と、第２の転接部材および誘導加熱手段を備えた定着装置において、誘導加熱手段に投入する電力量を、定着立ち上げ時と、定着稼働時とで変化するよう制御する制御手段を備えたことを特徴とする。
【手続補正１０】
【補正対象書類名】明細書
【補正対象項目名】００２２
【補正方法】変更
【補正の内容】
【００２２】
さらに本発明は、回転駆動される第１転接部材と、第２の転接部材および誘導加熱手段を備えた定着装置において、誘導加熱手段に投入する電力量の最大値を、定着立ち上げ時と、定着動作時とで、それぞれ所定値に切換え制御する制御手段を備えたことを特徴とする。
【手続補正１１】
【補正対象書類名】明細書
【補正対象項目名】００２３
【補正方法】変更
【補正の内容】
【００２３】
さらに本発明は、回転駆動される第１転接部材と、第２の転接部材および誘導加熱手段を備えた定着装置において、転写部に進入してくる被定着材の種類を検知する手段と、この検知手段からの検知信号を受け被定着材の種類に応じて誘導加熱手段に投入する電力量の最大値を切換え制御する制御手段とを備えたことを特徴とする。
以上のごとき課題を解決する手段を備えることにより、定着立ち上げ時間の短縮化と、誘導加熱によって発生する熱がローラに均一に供給され、定着ニップ部において温度ムラが発生せず、省電力化と、複写スピードの速いマシンでも定着可能な定着装置を提供できる。
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００４５
【補正方法】変更
【補正の内容】
【００４５】
つぎに、図３にもとづいて、定着装置における誘導加熱装置に関わる第１の実施の形態を説明する。
【手続補正２１】
【補正対象書類名】明細書
【補正対象項目名】００５４
【補正方法】変更
【補正の内容】
【００５４】
図６にもとづいて、第２の実施の形態を説明する。
【手続補正２２】
【補正対象書類名】明細書
【補正対象項目名】００５９
【補正方法】変更
【補正の内容】
【００５９】
図７にもとづいて、第３の実施の形態を説明する。
【手続補正２３】
【補正対象書類名】明細書
【補正対象項目名】００６７
【補正方法】変更
【補正の内容】
【００６７】
図８にもとづいて、第４の実施の形態を説明する。
【手続補正２４】
【補正対象書類名】明細書
【補正対象項目名】００７１
【補正方法】変更
【補正の内容】
【００７１】
図９にもとづいて、第５の実施の形態を説明する。
【手続補正２５】
【補正対象書類名】明細書
【補正対象項目名】００７６
【補正方法】変更
【補正の内容】
【００７６】
なお、先に説明した図８においては、以下に述べるような特徴もある。
【手続補正２６】
【補正対象書類名】明細書
【補正対象項目名】００８２
【補正方法】変更
【補正の内容】
【００８２】
図１０にもとづいて、第６の実施の形態を説明する。
【手続補正２７】
【補正対象書類名】明細書
【補正対象項目名】００９４
【補正方法】変更
【補正の内容】
【００９４】
図１２にもとづいて、第７の実施の形態を説明する。
【手続補正２８】
【補正対象書類名】明細書
【補正対象項目名】０１１４
【補正方法】変更
【補正の内容】
【０１１４】
図１５にもとづいて、第８の実施の形態を説明する。
【手続補正２９】
【補正対象書類名】明細書
【補正対象項目名】０１２５
【補正方法】変更
【補正の内容】
【０１２５】
図１６にもとづいて、第９の実施の形態を説明する。
【手続補正３０】
【補正対象書類名】明細書
【補正対象項目名】０１３１
【補正方法】変更
【補正の内容】
【０１３１】
また、図１６においては、以下に述べるような特徴もある。
【手続補正３１】
【補正対象書類名】明細書
【補正対象項目名】０１３４
【補正方法】変更
【補正の内容】
【０１３４】
つぎに、図１７と図１８にもとづいて、第１０の実施の形態を説明する。
【手続補正３２】
【補正対象書類名】明細書
【補正対象項目名】０１４７
【補正方法】変更
【補正の内容】
【０１４７】
図１９にもとづいて、第１１の実施の形態を説明する。
【手続補正３３】
【補正対象書類名】明細書
【補正対象項目名】０１４８
【補正方法】変更
【補正の内容】
【０１４８】
制御手段についての基本的な考え方は、先に説明した第１０の実施の形態と共通しているが、一部の相違点についてのみ以下に述べる。
【手続補正３４】
【補正対象書類名】明細書
【補正対象項目名】０１５５
【補正方法】変更
【補正の内容】
【０１５５】
図２０および図１９にもとづいて、第１２の実施の形態を説明する。
【手続補正３５】
【補正対象書類名】明細書
【補正対象項目名】０１６５
【補正方法】変更
【補正の内容】
【０１６５】
図２１にもとづいて、第１３の実施の形態を説明する。
【手続補正３６】
【補正対象書類名】明細書
【補正対象項目名】０１７８
【補正方法】変更
【補正の内容】
【０１７８】
図２１は、同実施の形態の変形例も兼用する。
【手続補正３７】
【補正対象書類名】明細書
【補正対象項目名】０１８３
【補正方法】変更
【補正の内容】
【０１８３】
図２２にもとづいて、第１４の実施の形態を説明する。
【手続補正３８】
【補正対象書類名】明細書
【補正対象項目名】０１８７
【補正方法】変更
【補正の内容】
【０１８７】
図２３にもとづいて、同実施の形態の変形例を説明する。
【手続補正３９】
【補正対象書類名】明細書
【補正対象項目名】０１９０
【補正方法】変更
【補正の内容】
【０１９０】
図２４にもとづいて、第１５の実施の形態を説明する。
【手続補正４０】
【補正対象書類名】明細書
【補正対象項目名】０１９７
【補正方法】変更
【補正の内容】
【０１９７】
図２５にもとづいて、第１６の実施の形態を説明する。
【手続補正４１】
【補正対象書類名】明細書
【補正対象項目名】０２２８
【補正方法】変更
【補正の内容】
【０２２８】
図２８にもとづいて、第１７の実施の形態を説明する。
【手続補正４２】
【補正対象書類名】明細書
【補正対象項目名】０２４２
【補正方法】変更
【補正の内容】
【０２４２】
図３０（Ａ）（Ｂ）にもとづいて、第１８の実施の形態を説明する。
【手続補正４３】
【補正対象書類名】明細書
【補正対象項目名】０２５２
【補正方法】変更
【補正の内容】
【０２５２】
図３１にもとづいて、第１９の実施の形態を説明する。
【手続補正４４】
【補正対象書類名】明細書
【補正対象項目名】図面の簡単な説明
【補正方法】変更
【補正の内容】
【図面の簡単な説明】
【図１】
本発明の一実施の形態を示す、定着装置の断面図。
【図２】
同実施の形態の、誘導加熱装置の断面図。
【図３】
本発明の第１の実施の形態を示す、定着装置における誘導加熱装置の斜視図。
【図４】
同実施の形態の、磁力線の発生状態を示す図。
【図５】
同実施の形態の、加熱ローラに発生する磁力線の閉ループを説明する図。
【図６】
第２の実施の形態を示す、誘導加熱装置の斜視図。
【図７】
第３の実施の形態を示す、誘導加熱装置の斜視図。
【図８】
第４の実施の形態を示す、誘導加熱装置の斜視図。
【図９】
第５の実施の形態を示す、誘導加熱装置の斜視図。
【図１０】
第６の実施の形態を示す、誘導加熱装置の斜視図。
【図１１】
同実施の形態の、誘導加熱装置に対する加熱ローラの構成を示す斜視図。
【図１２】
第７の実施の形態を示す、離反機構の作用を説明する図。
【図１３】
同実施の形態の、ウォームアップ時のフローチャート図。
【図１４】
同実施の形態の、レディ時のフローチャート図。
【図１５】
第８の実施の形態を示す、定着装置の断面図。
【図１６】
第９の実施の形態を示す、離反機構の作用を説明する図。
【図１７】
第１０の実施の形態を示す、定着装置の電気ブロック図。
【図１８】
同実施の形態の、電気制御を説明するブロック図。
【図１９】
第１１、第１２の実施の形態を示す、定着装置の電気制御回路の構成図。
【図２０】
第１２の実施の形態を示す、定着装置の断面図。
【図２１】
第１３の実施の形態を示す、定着装置の一部省略した横断面図。
【図２２】
第１４の実施の形態を示す、定着装置の断面図。
【図２３】
同実施の形態の変形例を示す、定着装置の断面図。
【図２４】
第１５の実施の形態を示す、定着装置の一部省略した横断面図。
【図２５】
第１６の実施の形態を示す、定着装置の断面図。
【図２６】
同実施の形態と、通常構造の定着装置における磁力線の発生状況の相違を示す図。
【図２７】
同実施の形態の変形例で、互いに異なるコアの構成を説明する図。
【図２８】
第１７の実施の形態を示す、定着装置の断面図。
【図２９】
同実施の形態の変形例で、互いに異なるコアの構成を説明する図。
【図３０】
第１８の実施の形態を示す、定着装置の斜視図と、寸法設定を表す図および、変形例の定着装置の斜視図。
【図３１】
第１９の実施の形態を示す、定着装置の断面図。
【符号の説明】
３…加熱ローラ（第１の転接部材）、
４…加圧ローラ（第２の転接部材）、
２…誘導加熱装置（誘導加熱手段）、
１０…コア、
１１…コイル、
ａ…テーパ部、
ｃ，ｄ…段差部、
１５…離反機構（離反手段）、
４３…支持部材（コア支持手段）、
４８…温度検出センサ（温度検出手段）、
４７…磁気遮蔽部、
１０ａ…中央突起部、
１０ｂ1 ，１０ｂ2 …両側突起部。